(57)【要約】【課題】既存の構造部材の強度を高めた、軽量で回転バランスの良い魚釣用スピニングリールのロータを提供する。【解決手段】魚釣用スピニングリールのロータは、後端部が開口した円筒部１２１Ａと、円筒部１２１Ａの外周から前方に延出し、ラインローラを有する第１ベール支持部と結合された第１ロータアーム２１０と、第１ロータアーム２１０と対向する位置に設けられ、円筒部１２１Ａの外周から前方に延出し、第１ベール支持部から延びるベールの他端を保持する第２ベール支持部と結合された第２ロータアーム２２０と、を備え、円筒部１２１Ａの側面に、円筒部１２１Ａの円筒軸方向に対して傾斜して延びる第２補強部１２８ａ、１２８ｂを有する。【選択図】図１２
2020005664.tif 000002
【特許請求の範囲】
【請求項１】
後端部が開口した円筒部と、
前記円筒部の外周から前方に延出し、ラインローラを有する第１ベール支持部と結合された第１ロータアームと、
前記第１ロータアームと対向する位置に設けられ、前記円筒部の外周から前方に延出し、前記第１ベール支持部から延びるベールの他端を保持する第２ベール支持部と結合された第２ロータアームと、
前記円筒部の側面に、前記円筒部の円筒軸方向に対して傾斜して延びる第２補強部と、
を備える魚釣用スピニングリールのロータ。
【請求項２】
前記円筒部の側面の、前記第２補強部に隣接する位置に開口部を有する、請求項１に記載の魚釣用スピニングリールのロータ。
【請求項３】
２つの前記第２補強部が、前記円筒軸を含む面に対して面対称に形成されている、請求項１又は２に記載の魚釣用スピニングリールのロータ。
【発明の詳細な説明】
【技術分野】
【０００１】
本発明は、魚釣用スピニングリールのロータに関する。
【背景技術】
【０００２】
魚釣用のスピニングリールは、スプールと、一対のロータアームを有するロータと、一対のロータアームの先端部に揺動可能に装着された釣糸案内機構と、を備えている（例えば特許文献１）。釣糸案内機構は、釣糸をスプールに案内するための機構である。この釣糸案内機構は、ベールと、ベールの両端部を支持する一対のベール支持部材と、ラインローラと、を有している。
【０００３】
ロータは、魚がかかった釣糸をハンドルを回して巻き取る際にロータアーム等に大きな負荷がかかるため、変形や破損が生じない程度の強度が必要である。また一方で使用者の使い心地を良くするため、ロータは回転バランスが良く、かつできるだけ軽量であることが望まれる。
【０００４】
例えば特許文献２には、ロータアーム部を補強し、ロータ全体の軽量化を図るため、略環状の補強部材を設けた魚釣用スピニングリールのロータが開示されている。
【先行技術文献】
【特許文献】
【０００５】
【特許文献１】特開２００６−１０１７０４号公報
【特許文献２】特開２０１１−１７７０６８号公報
【発明の概要】
【発明が解決しようとする課題】
【０００６】
特許文献２に開示されたロータは、２つのロータアームの間に略環状の補強部材を設けるものである。この補強部材は、補強のためだけに新たに追加した部材である。このような補強部材を新たに設けることは、コストアップにつながるとともに、外観上も違和感が生じる。そのため、既存の構造部材の強度を高めた、軽量で回転バランスの良い魚釣用スピニングリールのロータが望まれている。
【０００７】
本発明は上記のような問題を解決するためになされたものであり、既存の構造部材の強度を高めた、軽量で回転バランスの良い魚釣用スピニングリールのロータを提供することを目的とする。
【課題を解決するための手段】
【０００８】
（１）本発明に係る魚釣用スピニングリールのロータは、
後端部が開口した円筒部と、
前記円筒部の外周から前方に延出し、ラインローラを有する第１ベール支持部と結合された第１ロータアームと、
前記第１ロータアームと対向する位置に設けられ、前記円筒部の外周から前方に延出し、前記第１ベール支持部から延びるベールの他端を保持する第２ベール支持部と結合された第２ロータアームと、
前記円筒部の側面に、前記円筒部の円筒軸方向に対して傾斜して延びる第２補強部と、を備える。
【０００９】
（２）好ましくは、前記円筒部の側面の、前記第２補強部に隣接する位置に開口部を有する。
【００１０】
（３）好ましくは、２つの前記第２補強部が、前記円筒軸を含む面に対して面対称に形成されている。
【発明の効果】
【００１１】
本発明によれば、既存の構造部材の強度を高めた、軽量で回転バランスの良い魚釣用スピニングリールのロータを提供することができる。
【図面の簡単な説明】
【００１２】
【図１】本発明の実施の形態１に係る魚釣用スピニングリールの全体図である。
【図２】図１に示す魚釣用スピニングリールの断面図である。
【図３】図１に示す魚釣用スピニングリールの正面図である。
【図４】図１に示す魚釣用スピニングリールの釣糸案内機構の部分拡大図である。
【図５】（ａ）は図１に示す魚釣用スピニングリールの釣糸案内機構を含むロータを、第１ロータアームの側から見た斜視図、（ｂ）は第２ロータアームの側から見た斜視図である。
【図６】（ａ）は図５に示すロータの側面図、（ｂ）は（ａ）のロータ本体部のＡ−Ａ断面を示す概略図である。
【図７】図６（ｂ）のＣ−Ｃ断面を示す概略図である。
【図８】図６（ａ）のＢ−Ｂ断面を示す概略図である。
【図９】（ａ）は本発明の実施の形態１に係るベール反転装置が釣糸巻取位置にあるときの概略図、（ｂ）はベール反転装置が釣糸開放位置にあるときの概略図である。
【図１０】本発明の実施の形態１に係るベール反転装置の部分図である。
【図１１】図２のＤ−Ｄ断面を示す概略図である。
【図１２】（ａ）は本発明の実施の形態２に係る魚釣用スピニングリールのロータの側面図、（ｂ）は反対側から見た側面図である。
【図１３】（ａ）は本発明の変形例に係る魚釣用スピニングリールのロータの側面図、（ｂ）は反対側から見た側面図である。
【発明を実施するための形態】
【００１３】
（実施の形態１）
本発明の実施の形態１に係る魚釣用スピニングリールについて図面を参照しつつ説明する。なお、以下の説明において、「前（方）」とは釣糸を繰り出す方向を示し、具体的には図１及び図２の左が「前（方）」である。またその反対方向を「後（方）」という。また、各部材の材質についても例示のものに限られず、必要な機能と耐久性を有する公知の材料を適宜用いることができる。
【００１４】
図１に示すように、魚釣用スピニングリール１００は、リール本体１１０、ロータ１２０、スプール１３０、ハンドル１４０、及び釣糸案内機構２を備えている。また、図２に示すように、魚釣用スピニングリール１００は、駆動機構１５０、オシレーティング機構１６０、ピニオンギア１７０、及びスプール軸１８０をさらに備えている。
【００１５】
図１に示すように、リール本体１１０は、ケース部１１１と、蓋部１１２とを有している。蓋部１１２は、ケース部１１１に対して取り外し可能である。また、ケース部１１１には竿装着台支持部１１４が延出するように形成されており、竿装着台支持部１１４の先端には竿装着台１１３が配置されている。竿装着台１１３は、釣竿に装着される部分である。
【００１６】
図２に示すように、リール本体１１０は、ケース部１１１と蓋部１１２とによって画定される内部空間を有しており、内部空間内に種々の機構を収容している。詳細には、駆動機構１５０、及びオシレーティング機構１６０がリール本体１１０内に収容されている。
【００１７】
駆動機構１５０は、駆動軸１５１、及び駆動ギア１５２を備えている。駆動軸１５１は、ハンドル軸１４１と連結されており、ハンドル軸１４１と一体的に回転する。
【００１８】
駆動ギア１５２は駆動軸１５１に連結されており、駆動軸１５１と一体的に回転する。駆動ギア１５２は、フェースギアであり、ピニオンギア１７０のギア部１７１と噛み合っている。リール本体１１０の側面に装着されたハンドル１４０を回転させることによって、駆動軸１５１及び駆動ギア１５２が回転し、ピニオンギア１７０も回転する。
【００１９】
ピニオンギア１７０は、リール本体１１０に設けられている。ピニオンギア１７０は筒状に形成されており、ピニオンギア１７０の内部をスプール軸１８０が貫通している。ピニオンギア１７０はスプール軸１８０周りに回転可能に配置されている。ピニオンギア１７０は複数の軸受部材を介してリール本体１１０に支持されている。
【００２０】
スプール軸１８０は、リール本体１１０内から前方に延びている。スプール軸１８０は、ハンドル１４０を回転させることによって、前後方向に往復移動する。詳細には、ハンドル１４０の回転が、駆動ギア１５２を介して、ピニオンギア１７０を回転させる。このピニオンギア１７０の回転に伴い、オシレーティング機構１６０がスプール軸１８０を前後方向に往復移動させる。
【００２１】
スプール１３０は、釣糸が巻きつけられる部材である。スプール１３０は、スプール軸１８０の先端部に支持されている。スプール１３０は、スプール軸１８０と一体的に前後方向に往復移動する。
【００２２】
ロータ１２０は、スプール１３０に釣糸を巻きつけるための部材である。ロータ１２０は、ピニオンギア１７０を介してリール本体１１０に回転自在に支持されている。詳細には、ロータ１２０はピニオンギア１７０の前部１７２に固定されており、ピニオンギア１７０と一体的に回転する。ロータ１２０は、ロータ本体部（円筒部）１２１と、第１ロータアーム２１０と、第２ロータアーム２２０とを備える。なお、ロータ１２０の詳細な構造については後述する。
【００２３】
図１〜図３に示すように、釣糸案内機構２は、スプール１３０に釣糸を案内するための機構である。釣糸案内機構２は、第１ロータアーム２１０及び第２ロータアーム２２０の先端部にまたがって取り付けられている。
【００２４】
釣糸案内機構２は、第１ベール支持部２１と、第２ベール支持部２２と、ベール２３と、支持軸２４と、ラインローラ３と、を備えている。釣糸案内機構２は、ハンドル１４０を回して釣糸をスプール１３０に巻き取る釣糸巻取位置と、釣糸をスプール１３０から前方に繰り出す釣糸開放位置とを取るように、揺動可能に装着されている。
【００２５】
第１ベール支持部２１は亜鉛製であり、第１ロータアーム２１０に揺動可能に装着されている。詳細には、第１ベール支持部２１は、第１ロータアーム２１０の前端部の外側に揺動可能に装着されている。
【００２６】
第２ベール支持部２２は亜鉛製であり、第２ロータアーム２２０に揺動可能に装着されている。詳細には、第２ベール支持部２２は、第２ロータアーム２２０の前端部の外側に揺動可能に装着されている。
【００２７】
図４に示すように、第１ベール支持部２１は、第１端部２１ａと第２端部２１ｂとを有する。第１端部２１ａは、第１ロータアーム２１０に揺動可能に装着される。第１ベール支持部２１の第２端部２１ｂは、支持軸２４を介して、ベール２３の第１端部２３ａを支持する。
【００２８】
図１及び図２に示すように、第２ベール支持部２２は、第１端部２２ａと第２端部２２ｂとを有する。第１端部２２ａは、第２ロータアーム２２０に揺動可能に装着される。第２端部２２ｂは、ベール２３の第２端部２３ｂを支持する。
【００２９】
図３に示すように、ベール２３は、略Ｕ字状の例えばステンレス合金製の部材である。ベール２３は、スプール１３０の外周面に沿って外方に凸となるように湾曲している。このベール２３の第１端部２３ａは、支持軸２４を介して、第１ベール支持部２１に支持されている。
【００３０】
また、ベール２３の第２端部２３ｂは、第２ベール支持部２２に支持されている。釣糸案内機構２が釣糸巻取位置にあるときに、ベール２３は、釣り糸を第１端部２３ａを介してラインローラ３に導く。ラインローラ３は、魚釣用スピニングリール１００のスプール１３０に釣糸を案内するための部材である。釣糸案内機構２が釣糸巻取位置にあるときにハンドル１４０を手で回すと、ロータ１２０が回転し、釣糸はラインローラ３を経由してスプール１３０に巻き取られる。
【００３１】
以上、魚釣用スピニングリール１００の全体構成について説明した。次に、ロータ１２０の詳細について説明する。
【００３２】
図５に示すように、ロータ１２０はロータ本体部１２１と、第１ロータアーム２１０と、第２ロータアーム２２０とを備える。図５では、図の上下方向がスピニングリール１００の前後方向である。
【００３３】
ロータ１２０のロータ本体部１２１について、図６、図７を用いて説明する。図６（ａ）、（ｂ）に示すように、ロータ本体部１２１は、前方に向かってわずかに筒径が縮径した、前後に伸びる円筒形状を有している。図６（ｂ）に示すように、ロータ本体部１２１の後端部１２６は開口している。後端部１２６は、全周にわたって外周側がフランジ状に突出しており、第１ロータアーム２１０と第２ロータアーム２２０を支持できるように強度を高めている。なお図６では、図の上下方向が魚釣用スピニングリール１００の前後方向である。
【００３４】
ロータ本体部１２１の前端部１２１ａからやや後退した位置の内側に、ロータ本体部１２１の円筒軸（円筒の中心軸）Ｓに直交する面を有する円盤部１２２が形成されている。円盤部１２２は中央にボス部１２４が形成されている。ボス部１２４の中心部には円形の貫通穴１２５が形成され、その貫通穴１２５を前述のピニオンギア１７０の前部１７２及びスプール軸１８０が貫通している。
【００３５】
図２に示すように、円盤部１２２の前部において、ナット１２３によってロータ１２０がピニオンギア１７０の前部１７２に固定されている。ユーザがハンドル１４０を回すと、駆動ギア１５２が回転し、スプール軸１８０の周りに設けられた、駆動ギア１５２にかみ合ったピニオンギア１７０が回転する。そしてピニオンギア１７０の回転にともなってロータ１２０が回転する。
【００３６】
図６（ｂ）に戻り、円盤部１２２よりも後方で第１ロータアーム２１０が形成された位置のロータ本体部１２１の内側に、円筒軸Ｓ方向に、周囲（他の位置）よりも壁が肉厚の肉厚部１２７（第１補強部）が設けられている。肉厚部１２７の形状は、円筒軸Ｓに略平行な辺を持つ矩形である。
【００３７】
図７に示すように、肉厚部１２７の周方向の位置は、第１ロータアーム２１０の周方向の位置と重なることが強度上及び回転バランス上好ましい。例えば、第１ロータアーム２１０の周方向の中央位置と肉厚部１２７の周方向の中央位置とが一致することが好ましい。同じく強度上及び回転バランス上の理由から、肉厚部１２７の形状は周方向に線対称であることが好ましい。周方向に線対称というのは、ロータ本体部１２１において、円筒軸Ｓ方向の仮想的な線に対して、周方向の左右が線対称形であるということである。
【００３８】
肉厚部１２７の内面の半径ｒ１（ロータ本体部１２１の円筒軸Ｓから肉厚部１２７の内面までの距離、内周半径）は、ロータ本体部１２１の他の位置の内周半径ｒ２よりも小さい。即ち、ロータ本体部１２１の外径は肉厚部１２７も他の位置も同じであるが、肉厚部１２７はロータ本体部１２１の他の位置よりも径内側方向に向かって突出して肉厚が大きくなるように形成されている。
【００３９】
肉厚部１２７の周方向の幅ｍは、第１支持脚２１１及び第２支持脚２１３が延出している位置間の長さより小さい。しかし肉厚部１２７の周方向の幅を、第１支持脚２１１及び第２支持脚２１３の延出している位置間の長さ以上に大きく形成してもよい。肉厚部１２７の径方向の厚さ（壁厚）は、強度と重量とのトレードオフとなるが、肉厚部１２７以外のロータ本体部１２１の円筒の壁厚の１．５倍〜３倍程度であることが好ましい。肉厚部１２７の円筒軸Ｓ方向の長さｎ（図６（ｂ）参照）は、ロータ本体部１２１の後端部（開口端）１２６から円盤部１２２までの全長が好ましいが、これより短くてもよい。
【００４０】
ロータ本体部１２１には、第１ロータアーム２１０と第２ロータアーム２２０を取り付けたそれぞれの位置に負荷がかかる。特に、第１ロータアーム２１０には釣糸を導くラインローラ３を有する第１ベール支持部２１が取り付けられているため、ロータ本体部１２１の第１ロータアーム２１０側には釣糸からの引張力を受けて大きな負荷がかかる。そのため、第１ロータアーム２１０を取り付けた位置のロータ本体部１２１の円筒の壁厚を大きくした肉厚部１２７を設けて負荷に対する構造強度を高めている。そしてロータ本体部１２１の他の位置の円筒の壁厚を、肉厚部１２７を設けずにロータ本体部１２１の円筒全体を均一な厚さにした場合の厚さよりも薄く形成している。その結果、必要な構造強度を保ちつつ、ロータ本体部１２１全体の重量をより低減することができる。
【００４１】
肉厚部１２７の形状は矩形であるが、その形状は必ずしも矩形でなくともよい。例えば、肉厚部１２７の後端部と前端部とで周方向の幅が異なっていてもよい。ただし、周方向に対称的な形状であることが強度上及び回転バランス上好ましい。
【００４２】
肉厚部１２７は、ロータ本体部１２１と一体的に成形してもよいし、ロータ本体部１２１とは別に製造し、その後にロータ本体部１２１に取り付けることにより形成してもよい。また、肉厚部１２７とロータ本体部１２１とを別々に形成する場合、その材質を変えてもよい。例えば肉厚部１２７としてロータ本体部１２１よりも材料強度の大きなものを用いてもよい。
【００４３】
なお、第２ロータアーム２２０側のロータ本体部１２１には、肉厚部１２７は形成されていない。しかし第２ロータアーム２２０側のロータ本体部１２１にも肉厚部を設けてもよい。この場合も、第１ロータアーム２１０側の重量や、ロータ本体部１２１の厚さを考慮して回転バランスが取れるように厚さを決定すればよい。
【００４４】
図５に示すように、第１ロータアーム２１０側のロータ本体部１２１の後端部１２６には、回転バランスを調整するためのバランス調整部１２９が設けられている。バランス調整部１２９は、例えば金属製の小さな板材１２９ａ（調整用重量材、バランサー）を必要な枚数だけ例えばねじ止めすることができる。
【００４５】
第１ベール支持部２１や第２ベール支持部２２は例えば鋳造の亜鉛製であるが、その重量が設計重量値からばらつく可能性がある。重量がばらつくと、回転バランスが取れなくなる可能性がある。そのような場合、回転バランスを取るために必要な枚数の板材１２９ａを取り付け、回転バランスを調整することができる。
【００４６】
次に、第１ロータアーム２１０と第２ロータアーム２２０の詳細について説明する。図５及び図６に示すように、第１ロータアーム２１０と第２ロータアーム２２０は、それぞれがロータ本体部１２１の後端部１２６の外周から径外側方向に延出し、さらに前方に向かって、ロータ本体部１２１から離間して延在している。第１ロータアーム２１０と第２ロータアーム２２０とは、ロータ本体部１２１の周方向において、互いに反対側の位置に（互いに対向して）配置されている。ロータ本体部１２１、第１ロータアーム２１０、第２ロータアーム２２０は例えばアルミニウム合金製又はマグネシウム合金製である。
【００４７】
図５（ａ）示すように、第１ロータアーム２１０は、平板状の第１支持脚２１１と平板状の第２支持脚２１３とを有する。第１支持脚２１１と第２支持脚２１３は、それぞれがロータ本体部１２１の後端部１２６の外周から径外側方向に延出し、さらに湾曲して前方に延在している。第１支持脚２１１と第２支持脚２１３は、前方にいくほど互いに近づき、前端部で合流している。第１支持脚２１１と第２支持脚２１３との間は空間が形成されている。第１ロータアーム２１０の前端部には、第１ベール支持部２１が結合されている。
【００４８】
第１ロータアーム２１０は、図８に示すように、第１支持脚２１１の側部（側端部）２１２から延出する、第１リブ２１５（第３補強部）を有している。第１リブ２１５は、ロータ本体部１２１の外周（後端部１２６の外周）までの間に延在する。また、第１ロータアーム２１０は、第２支持脚２１３の側部（側端部）２１４から延出する、第２リブ２１６（第３補強部）を有している。第２リブ２１６は、ロータ本体部１２１の外周（後端部１２６の外周）までの間に延在する。
【００４９】
第１リブ２１５は、図８に示すように、第１支持脚２１１に対し、その側部２１２からほぼ直角の方向に形成されている。つまり、第１支持脚２１１と第１リブ２１５とでＬ字状の断面構造を形成することで、第１支持脚２１１の強度を高めている。同様に、第２リブ２１６は、第２支持脚２１３に対し、その側部２１４からほぼ直角の方向に形成されている。つまり、第２支持脚２１３と第２リブ２１６とでＬ字状の断面構造を形成することで、第２支持脚２１３の強度を高めている。
【００５０】
従来のロータアームでは、ロータ本体部１２１の後端部１２６から板状部材が径外側方向に延出し、さらに湾曲して前方に延在している。しかし板状部材から直角方向に（断面がＬ字状となるように）延在するリブを有しておらず、１つの幅広の厚い板状部材として強度を確保している。それに対して、実施の形態１に係る第１ロータアーム２１０は、薄く形成した板状の第１支持脚２１１と第２支持脚２１３に、第１リブ２１５と第２リブ２１６をそれぞれ組み合わせて強度を保ちつつ、第１ロータアーム２１０の全体の重量を低減した。
【００５１】
第１ロータアーム２１０を第１支持脚２１１と第２支持脚２１３の２つの支持脚で構成するのは、第１ロータアーム２１０の構成部材の重量をできるだけ低減するためである。また第１支持脚２１１に第１リブ２１５を、第２支持脚２１３に第２リブ２１６を設けるのは、第１支持脚２１１と第２支持脚２１３のそれぞれを補強して必要な強度を保持するためである。このような構成により、第１ロータアーム２１０が１つの幅広で厚い支持脚で構成された場合に比べて重量が低減できるとともに、必要な強度を確保することができる。なお、第１ロータアーム２１０には後述のベール反転装置３０が配置されていないため、このような構成をとることがより容易となっている。なお、支持脚の数は３つ以上設けてもよい。
【００５２】
一方、第２ロータアーム２２０は、図５（ｂ）に示すように、第１ロータアーム２１０と対向する位置（円筒軸Ｓに対して対称の位置）のロータ本体部１２１の後端部１２６から径外側方向に肉厚に延出し、さらに湾曲して前方に（ロータ本体部１２１とほぼ平行に）延在している。第２ロータアーム２２０は、延出部分（ベース部分）では幅広に形成され、前端にいくほど幅が狭く形成されている。第２ロータアーム２２０の前端部には、第２ベール支持部２２が結合されている。
【００５３】
図５（ｂ）に点線で示すように、第２ロータアーム２２０の、前方に向かって延在する部分の内部には、ベール反転装置３０が配置されている。前述のように、魚釣用スピニングリール１００の釣糸案内機構２は、釣糸をスプール１３０に巻き取ることができる釣糸巻取位置と、釣糸をスプール１３０から前方に自由に繰り出すことができる釣糸開放位置と、をとることができる。ベール反転装置３０は、釣糸案内機構２（詳細にはその第２ベール支持部２２）を釣糸巻取位置と釣糸開放位置とに振り分け（反転させ）、それぞれの位置で安定化させる装置である。
【００５４】
ベール反転装置３０は、図９（ａ）に示すように、トグルばね３２と、ガイドロッド３６と、復帰レバー４０と、を備える。
【００５５】
第２ベール支持部２２の第１端部２２ａは亜鉛製であり、支持軸２２ｃによって第２ロータアーム２２０の前端部と結合されている。第１端部２２ａには、ガイドロッド３６の一端部３６ａと係合する係合穴２２ｄと、復帰レバー４０の一端部４０ａが挿入されるレバー挿入孔２２ｆとが設けられている。
【００５６】
ガイドロッド３６は、トグルばね３２の付勢力を第２ベール支持部２２に伝える働きをする部材である。ガイドロッド３６はステンレス鋼製であり、一端部３６ａが直角に折れ曲げられて第１端部２２ａの係合穴２２ｄと係合している。ガイドロッド３６は、折れ曲がり位置の手前にトグルばね３２の一端部３２ａを係止する係止突起３８を有する。ガイドロッド３６の他端部３６ｂは、トグルばね３２に途中まで挿入されている。しかしガイドロッド３６の他端部３６ｂは、トグルばね３２が圧縮されてもばねガイド３４の底面３４ａに当接することはない。
【００５７】
トグルばね３２は、ガイドロッド３６を付勢する役割を有する。トグルばね３２はコイルばねであり、その一端部３２ａがガイドロッド３６の係止突起３８に樹脂板３３を介して係止され、他端部３２ｂは樹脂製で有底四角柱容器のばねガイド３４に挿入され、ばねガイド３４の底面３４ａに当接して支持されている。ばねガイド３４は、ガイドロッド３６の向きの変化に伴ってその向きが変化するように、中央部が回動可能に支持されている。なお、図９ではばねガイド３４は内部が見えるように図示している。
【００５８】
ガイドロッド３６の一端部３６ａは第１端部２２ａの係合穴２２ｄと係合している。これにより、トグルばね３２によって付勢されたガイドロッド３６は、第１端部２２ａを前方向に付勢する。この付勢力によって第１端部２２ａ即ち第２ベール支持部２２は釣糸巻取位置と釣糸開放位置とで安定化される。
【００５９】
ガイドロッド３６は第１端部２２ａの係合穴２２ｄと係合しているが、ガイドロッド３６（ステンレス鋼製）と第１端部２２ａ（亜鉛製）は材質が異なるため、直接係合させると、塩水等が隙間に侵入した場合に２つの材質のイオン化傾向の違いにより、係合穴２２ｄが腐食する恐れがある。そのため、図１０に示すように、第２ベール支持部２２の第１端部２２ａの係合穴２２ｄには、円筒状の樹脂カラー（絶縁部材）２２ｈが嵌挿されている。ガイドロッド３６の一端部３６ａは、この樹脂カラー２２ｈを介して係合穴２２ｄと係合している。このように樹脂カラー２２ｈを入れて両者を絶縁することにより、電食の発生を防止している。なお、図１０では、ガイドロッド３６は図示していない。
【００６０】
復帰レバー４０は、釣糸開放位置にある第２ベール支持部２２の第１端部２２ａを、釣糸巻取位置に戻す方向に回転させる付勢力を伝える部材である。復帰レバー４０の一端部４０ａは、図９（ａ）及び図１０に示すように、直角に屈曲して第１端部２２ａのレバー挿入孔２２ｆに挿入されている。
【００６１】
復帰レバー４０の他端部４０ｂは、一端部４０ａとは反対側に直角に屈曲している。復帰レバー４０の他端部４０ｂは、第１端部２２ａが釣糸巻取位置にあるときに、ロータ１２０の後端部１２６よりも前方に位置している。しかし復帰レバー４０の他端部４０ｂは、図９（ｂ）に示すように第１端部２２ａが釣糸開放位置にあるときには、ロータ本体部１２１の後端部１２６近くまで後退する。つまり、復帰レバー４０の他端部４０ｂが、ロータ本体部１２１の後端部１２６に面した、リール本体１１０の顎部１１５（図２参照）に近づく。
【００６２】
図１１に示すように、リール本体１１０の顎部１１５には、復帰レバー戻し部４２が設けられている。復帰レバー戻し部４２は、ロータ１２０の回転方向に向かって高さが高くなるように斜面４２ｃが形成された略三角形の部材である。復帰レバー戻し部４２の底面には突起部４２ａが形成され、突起部４２ａは、リール本体１１０の顎部１１５に設けられた孔に挿入されている。復帰レバー戻し部４２は突起部４２ａによって位置決めされ、さらにボルト４２ｂで固定されている。
【００６３】
従来技術では、復帰レバー戻し部は下部にくびれ部を形成し、顎部に設けた切り欠き部に側部からくびれ部を挿入して固定していた。しかしこの復帰レバー戻し部４２は、底面に形成した突起部４２ａとボルト４２ｂとにより位置決めされ、固定されている。この構成により、顎部１１５の周辺の構造を簡素化することができ、周辺部材の設計自由度を高めている。
【００６４】
図１１に示すように、復帰レバー戻し部４２は、リール本体１１０の、竿装着台支持部１１４が延出する位置の顎部１１５に配置されている。
【００６５】
ユーザは、釣糸案内機構２を釣糸巻取位置から釣糸開放位置に手動で切り替えようとするときに、右手の指で釣糸を引っ掛けて保持しておき、左手でベール２３を動かして位置を切り替えることが多い。このときユーザは釣糸を指で引っ掛けるために、ラインローラ３がある第１ロータアーム２１０が竿側（竿装着台支持部１１４が配置された側）に来る位置で、ベール２３を動かすことが必要となる。このとき、復帰レバー戻し部４２が竿側の反対位置にあると、第２ロータアーム２２０も竿側の反対位置に来るため、第２ロータアーム２２０の内部に配置された復帰レバー４０が復帰レバー戻し部４２と干渉して、ベール２３を釣糸開放位置に動かすことができない。
【００６６】
復帰レバー戻し部４２を、竿装着台支持部１１４が延出する位置の顎部１１５に配置することにより、第１ロータアーム２１０が竿側に来る位置で、ユーザが釣糸案内機構２を釣糸巻取位置から釣糸開放位置に手動で切り替えようとするときに、復帰レバー４０が復帰レバー戻し部４２と干渉せず、ユーザに違和感を与えずに釣糸案内機構２の位置を切り替えることができる。
【００６７】
復帰レバー４０の一端部４０ａは、第２ベール支持部２２の第１端部２２ａのレバー挿入孔２２ｆに挿入されているが、釣糸巻取位置では一端部４０ａはレバー挿入孔２２ｆの側壁には当接せず、ある程度自由に動くことができる空間がある。そのため、例えばベール２３が変形した場合などでは、第１端部２２ａが釣糸巻取位置にある位置においても、復帰レバー４０は後方向に移動する可能性がある。第１端部２２ａが釣糸巻取位置にある位置において復帰レバー４０が後方向に移動すると、復帰レバー４０の他端部４０ｂが復帰レバー戻し部４２と接触してはいけないときに接触してしまう可能性が生じる。
【００６８】
このような可能性を排除するため、図１０に示すように、復帰レバー４０の折り曲げられた一端部４０ａは、コイルばね製の持ち上げばね（付勢部材）４４によって付勢されている。持ち上げばね４４は、復帰レバー４０が後退しないようにするために、復帰レバー４０を、前方向に付勢するものである。
【００６９】
持ち上げばね４４は、前端（図１０では上端）が復帰レバー４０の一端部４０ａに巻き付けられ係止されており、後端（図１０では下端）は、釣糸巻取位置においてレバー挿入孔２２ｆの後端（図１０では下端）の側壁２２ｋに当接するようになっている。この構成により、持ち上げばね４４は、釣糸巻取位置において復帰レバー４０を第２ベール支持部２２の第１端部２２ａに対して前方（図１０では上方）に付勢することができ、復帰レバー４０が復帰レバー戻し部４２と接触しないようにすることができる。
【００７０】
次に、ベール反転装置３０の動作について説明する。図９（ａ）に示すように、釣糸案内機構２が釣糸巻取位置にあるときは、ガイドロッド３６の一端部３６ａは、第２ベール支持部２２の支持軸２２ｃの中心を通って前後方向に平行な仮想的線分Ｇよりも左側にある。トグルばね３２の付勢力により、ガイドロッド３６は、第２ベール支持部２２を図の左上方向に付勢し、この位置で第２ベール支持部２２を安定させている。
【００７１】
釣糸を前方へ繰り出すために釣糸案内機構２を釣糸開放位置にするときは、ユーザはベール２３を手で持って図９（ａ）の矢印Ｌの方向へ回す。すると第２ベール支持部２２が支持軸２２ｃを中心に左回りに回転する。トグルばね３２の付勢力はこの回転を抑制するように働くが、ユーザによって係合穴２２ｄ（及びそれと係合したガイドロッド３６の一端部３６ａ）はトグルばね３２の付勢力に対抗しつつ左回転させられる。
【００７２】
係合穴２２ｄが途中まで回転して、支持軸２２ｃの中心と、係合穴２２ｄと、係合穴２２ｄに係合したガイドロッド３６が一直線になる位置がベール反転装置３０の死点となる（図示せず）。死点位置では、トグルばね３２の付勢力は支持軸２２ｃに受け止められ、第２ベール支持部２２を左右のいずれかに回転させる方向には働かない。
【００７３】
この死点を超えてさらに係合穴２２ｄが左回転（図の右方向に移動）すると、今度はトグルばね３２の付勢力が、逆に第２ベール支持部２２を左方向に回転させる方向に働く。そして第２ベール支持部２２は図９（ｂ）に示す釣糸開放位置まで左回転する。この位置では、ガイドロッド３６の一端部３６ａは、仮想的線分Ｇよりも右側にある。また、復帰レバー４０の一端部４０ａがレバー挿入孔２２ｆの前端壁２２ｇに押され、復帰レバー４０は下方に移動している。復帰レバー４０の他端部４０ｂは、前述のように図示しないリール本体１１０の顎部１１５に近接して位置している。
【００７４】
釣糸案内機構２が図９（ｂ）に示す釣糸開放位置にあるときに、ユーザが釣糸巻取りのためにハンドル１４０を回すと、ロータ１２０が回転する。するとロータ１２０とともに回転する復帰レバー４０の他端部４０ｂが、復帰レバー戻し部４２の斜面４２ｃ（図１１参照）に当接し、ロータ１２０の回転に伴って斜面４２ｃの傾斜に沿って次第に上方に持ち上げられる。これにより復帰レバー４０の一端部４０ａは、レバー挿入孔２２ｆの前端壁２２ｇを図の上方へ押し上げる。そのため、第２ベール支持部２２が支持軸２２ｃを中心に、図９（ｂ）の矢印Ｒに示す方向に回転する。
【００７５】
係合穴２２ｄは、回転の始めはトグルばね３２の付勢力に対抗しつつ右回りに回転させられるが、係合穴２２ｄがさらに回転して死点を超えると、今度はトグルばね３２の付勢力が第２ベール支持部２２を右回りに回転させる方向に働く。そして図９（ａ）に示す釣糸巻取位置で安定する。このように、ハンドル１４０を回すことにより、釣糸案内機構２は自動的に釣糸巻取位置にセットされる。
【００７６】
以上に説明した実施の形態１に係る魚釣用スピニングリール１００のロータ１２０は、ロータ本体部１２１が、他の構成は同じであるが、壁厚が均一で肉厚部１２７を有さない従来構造のものよりも必要強度は維持したままでより軽量化されている。また、第１ロータアーム２１０が、平板状の第１支持脚２１１と平板状の第２支持脚２１３とで形成され、それぞれに補強用の第１リブ２１５と第２リブ２１６とが設けられている。そのため、他の構成は同じであるが、補強用の第１リブ２１５と第２リブ２１６とを有しない従来構造のものに比べて、必要強度は維持したままでより軽量化されている。
【００７７】
また、魚釣用スピニングリール１００は、ラインローラ３がある側の第１ロータアーム２１０とは反対側の第２ロータアーム２２０の内部にベール反転装置３０を設けられている。これにより、第１ロータアーム２１０と第２ロータアーム２２０との重量バランスを取りやすくなり、ロータ１２０が軽量化されている。
【００７８】
具体的には、第１ロータアーム２１０はベール反転装置３０を有していないので、他の構成が同じでベール反転装置３０を有する第２ロータアーム２２０よりも軽量である。そのため、第２ロータアーム２２０側のロータ本体部１２１には肉厚部１２７を設けず、第１ロータアーム２１０側のロータ本体部１２１だけに肉厚部１２７を有していても、回転バランスをとりやすくなっている。つまり、バランスをとるためだけに追加する調整用重量材（バランサー）を少なくすることができ、結果的に軽量化につながっている。
【００７９】
以上のように、魚釣用スピニングリール１００のロータ１２０は、必要な強度を保ちつつ全体の重量を軽量化するとともに、回転バランスのとれたロータとなっている。
【００８０】
なお、第１ロータアーム２１０側のロータ本体部１２１に肉厚部１２７を設ける構成と、第１ロータアーム２１０を平板状の第１支持脚２１１と平板状の第２支持脚２１３とで形成し、それぞれに第１リブ２１５と第２リブ２１６とを設ける構成とは、それぞれを選択的に実施してもよい。
【００８１】
また、ラインローラ３がある側とは反対側の第２ロータアーム２２０の内部にベール反転装置３０を設ける構成と、第１ロータアーム２１０側のロータ本体部１２１に肉厚部１２７を設ける構成と、第１ロータアーム２１０を平板状の第１支持脚２１１と平板状の第２支持脚２１３とで形成し、それぞれに第１リブ２１５と第２リブ２１６とを設ける構成とは、それぞれを選択的に実施してもよいし、２つ以上を組み合わせて実施してもよい。
【００８２】
（実施の形態２）
実施の形態１では、ロータ本体部１２１の第１ロータアーム２１０側の円筒内側に肉厚部１２７を形成してそれ以外のロータ本体部１２１の円筒の厚さを低減し、ロータ本体部１２１の全体の重量を低減した。実施の形態２では、別の構成でロータ本体部１２１Ａの全体の重量を低減する形態について説明する。
【００８３】
図１２（ａ）、（ｂ）に示すように、ロータ本体部（円筒部）１２１Ａの、第１ロータアーム２１０と第２ロータアーム２２０との間の側面の後部から前部にかけて、円筒軸Ｓ方向に対して傾斜して延びる、周囲よりも肉厚の傾斜肉厚部１２８ａ（第２補強部）と傾斜肉厚部１２８ｂ（第２補強部）を設けている。円筒軸Ｓ方向に対して傾斜して延びるとは、ロータ本体部１２１Ａの円筒側面を部分的な螺旋状（螺旋円弧状）に延びるということである。
【００８４】
傾斜肉厚部１２８ａ、１２８ｂは、その部分以外のロータ本体部１２１Ａの円筒の厚壁よりも壁厚を厚く形成した部分である。傾斜肉厚部１２８ａ、１２８ｂは、それぞれロータ本体部１２１Ａの後部から前部にかけて、第１ロータアーム２１０側から第２ロータアーム２２０側に向けて前方に向くように螺旋状に延びている。傾斜肉厚部１２８ａと傾斜肉厚部１２８ｂとは、円筒軸Ｓを含む面に対して面対称に形成されている。より具体的には、傾斜肉厚部１２８ａと傾斜肉厚部１２８ｂとは、円筒軸Ｓを含み、第１ロータアーム２１０の中央部と第２ロータアーム２２０の中央部とを通過する面に対して面対称に形成されている。
【００８５】
前述のように、ロータ本体部１２１Ａの第１ロータアーム２１０側には特に大きな負荷がかかるため、傾斜肉厚部１２８ａ、１２８ｂはこのような方向と配置で設けることが強度上及び回転バランス上好ましい。
【００８６】
傾斜肉厚部１２８ａ、１２８ｂを除くロータ本体部１２１Ａの円筒の壁厚は、ロータ本体部１２１Ａの円筒部分が均一な厚さの場合の壁厚よりも薄くできる。傾斜肉厚部１２８ａ、１２８ｂの壁厚は、強度と重量とのトレードオフで決定されるが、傾斜肉厚部１２８ａ、１２８ｂ以外の円筒部分の壁厚の１．５倍から３倍程度であることが好ましい。このように円筒に傾斜肉厚部１２８ａ、１２８ｂを設けて他の円筒部分の壁厚を薄くすることにより、必要強度を保ちつつロータ本体部１２１Ａの全体重量を低減することができる。
【００８７】
実施の形態２では、傾斜肉厚部１２８ａ、１２８ｂを設ける範囲は円盤部１２２よりも後方側の範囲である。しかし傾斜肉厚部１２８ａ、１２８ｂを設ける範囲をより広く、又は狭くしてもよい。
【００８８】
実施の形態２では、第２補強部として、傾斜肉厚部１２８ａ、１２８ｂを形成したが、ロータ本体部１２１Ａの円筒部より強度の高い、補強材を円筒部の壁に貼り付けてもよい。さらに、補強材を円筒部の壁に内包させることも可能である。このような補強材は、円筒軸Ｓに対して傾斜して設けることが好ましい。
【００８９】
なお、第１ロータアーム２１０側と第２ロータアーム２２０側のロータ本体部１２１Ａの円筒の壁厚は、薄くしなくてもよい。
【００９０】
ロータ本体部１２１Ａの円筒の厚さを全体的に薄くし、その一部を肉厚にして全体の強度を保つ方法として、円筒軸Ｓ方向に平行又は直交する方向に肉厚部を設ける方法も考えられる。しかし発明者らは、円筒軸Ｓ方向に対して斜め方向の傾斜肉厚部１２８ａ、１２８ｂを設けるほうが、ロータ本体部１２１Ａの強度の低下を防ぎつつロータ本体部１２１Ａの重量を低減する効果が高いことを見出した。また、広い範囲の壁厚を薄くし、斜めに壁厚を厚くした補強部を設けることが効果的であることを見出した。
【００９１】
（変形例）
実施の形態２における傾斜肉厚部１２８ａ、１２８ｂに隣接する位置（直接接する位置だけでなく近接する位置も含む）の円筒部分を（部分的に）開口してもよい。例えば、図１３（ａ）に示すロータ本体部１２１Ａのように、第１ロータアーム２１０と第２ロータアーム２２０との間の円筒部分に、開口部２３０ａと開口部２３０ｂを設ける。反対側にも図１３（ｂ）に示すように、同様に開口部２３０ｃと開口部２３０ｄを設ける。つまり、円筒軸Ｓ方向に対して傾斜して延びる傾斜補強部１２８ｃ（第２補強部）を設け、それに隣接する位置に開口部２３０ａと開口部２３０ｂを設けている。同様に円筒軸Ｓ方向に対して傾斜して延びる傾斜補強部１２８ｄ（第２補強部）を設け、それに隣接する位置に開口部２３０ｃと開口部２３０ｄを設けている。傾斜補強部１２８ｃ、１２８ｄの壁厚は、ロータ本体部１２１Ａ全体が均一な厚さである場合の壁厚よりも厚い。傾斜補強部１２８ｃ、１２８ｄは、実施の形態２における傾斜肉厚部１２８ａ、１２８ｂと同じ役割を有する。
【００９２】
この変形例の場合、開口部以外の部分の壁厚は同じとしてもよい。その場合は、均一な壁厚の円筒の一部を打ち抜いて開口部を形成することができる。言い換えると、ロータ本体部１２１Ａの第１ロータアーム２１０と第２ロータアーム２２０との間の２つの円筒部分に、円筒軸Ｓ（前後）方向に対して傾斜する方向に延びる傾斜補強部１２８ｃ、１２８ｄを残して大きな開口部２３０ａ、２３０ｂ、２３０ｃ、２３０ｄを設けてもよい。なお、第１ロータアーム２１０が取り付けられている円筒部分と、第２ロータアーム２２０が取り付けられている円筒部分とには、強度上開口部を設けないことが好ましい。開口部の形状は、図１３に示す例では略台形であるが、その形状は台形でなくともよい。ただし回転バランスを考慮すると、円筒軸Ｓを含み、第１ロータアーム２１０の中央部と第２ロータアーム２２０の中央部とを通過する面に対して面対称に形成することが好ましい。
【００９３】
このように、実施の形態２における傾斜肉厚部１２８ａ、１２８ｂ以外の円筒部分を部分的に開口することにより、全体としてロータ本体部１２１Ａの重量を低減することができる。
【００９４】
従来の技術では、板状部材の重量を低減する方法として、小さな開口（例えば円形開口）を多数設ける方法が知られている。しかし発明者らは、広い範囲を開口し、開口部に斜めの補強部を設けることが、必要な強度を保ちつつ全体の重量を低減することにより効果的であることを見出した。
【００９５】
なお、ロータ本体部１２１を軽量化するための、実施の形態１の肉厚部１２７と、実施の形態２の傾斜肉厚部１２８ａ、１２８ｂ（又は変形例の傾斜補強部１２８ｃ、１２８ｄ）は、それぞれを選択的に実施してもよいし、２以上を組み合わせて実施してもよい。
【００９６】
以上、本発明のいくつかの実施の形態とその変形例について説明した。しかし本発明はこれらの実施の形態と変形例に限られるわけではない。また、上記に説明した特徴的な構成のうちの１つを選択的に（単独で）実施してもよく、また複数の構成を回転バランスを考慮しつつ組み合わせてもよい。
【符号の説明】
【００９７】
２  釣糸案内機構
３  ラインローラ
２１  第１ベール支持部
２１ａ  第１端部
２１ｂ  第２端部
２２  第２ベール支持部
２２ａ  第１端部
２２ｂ  第２端部
２２ｃ  支持軸
２２ｄ  係合穴
２２ｆ  レバー挿入孔
２２ｇ  （レバー挿入孔の）前端壁
２２ｈ  樹脂カラー（絶縁部材）
２２ｋ  側壁
２３  ベール
２３ａ  第１端部
２３ｂ  第２端部
２４  支持軸
３０  ベール反転装置
３２  トグルばね
３２ａ  （トグルばねの）一端部
３２ｂ  （トグルばねの）他端部
３３  樹脂板
３４  ばねガイド
３４ａ  （ばねガイドの）底面
３６  ガイドロッド
３６ａ  （ガイドロッドの）一端部
３６ｂ  （ガイドロッドの）他端部
３８  係止突起
４０  復帰レバー
４０ａ  （復帰レバーの）一端部
４０ｂ  （復帰レバーの）他端部
４２  復帰レバー戻し部
４２ａ  突起部
４２ｂ  ボルト
４４  持ち上げばね（付勢部材）
１００  魚釣用スピニングリール
１１０  リール本体
１１１  ケース部
１１２  蓋部
１１３  竿装着台
１１４  竿装着台支持部
１１５  顎部
１２０  ロータ
１２１、１２１Ａ  ロータ本体部（円筒部）
１２１ａ  前端部
１２２  円盤部
１２３  ナット
１２４  ボス部
１２５  貫通穴
１２６  後端部（開口端）
１２７  肉厚部（第１補強部）
１２８ａ、１２８ｂ  傾斜肉厚部（第２補強部）
１２８ｃ、１２８ｄ  傾斜補強部（第２補強部）
１２９  バランス調整部
１２９ａ  板材
１３０  スプール
１４０  ハンドル
１４１  ハンドル軸
１５０  駆動機構
１５１  駆動軸
１５２  駆動ギア
１６０  オシレーティング機構
１７０  ピニオンギア
１７１  ギア部
１７２  ピニオンギアの前部
１８０  スプール軸
２１０  第１ロータアーム
２１１  第１支持脚
２１２  （第１支持脚の）側部
２１３  第２支持脚
２１４  （第２支持脚の）側部
２１５  第１リブ（第３補強部）
２１６  第２リブ（第３補強部）
２２０  第２ロータアーム
２３０ａ、２３０ｂ、２３０ｃ、２３０ｄ  開口部
【図１】
2020005664.tif 000003
【図２】
2020005664.tif 000004
【図３】
2020005664.tif 000005
【図４】
2020005664.tif 000006
【図５】
2020005664.tif 000007
【図６】
2020005664.tif 000008
【図７】
2020005664.tif 000009
【図８】
2020005664.tif 000010
【図９】
2020005664.tif 000011
【図１０】
2020005664.tif 000012
【図１１】
2020005664.tif 000013
【図１２】
2020005664.tif 000014
【図１３】
2020005664.tif 000015